(57)【要約】【課題】会が運営するサーバに、その会員が、簡単に手間要らずに気軽にアクセスして、該サーバにアクセスするために必要な情報を送信し得る会員情報のサーバへの登録方法を提供する。【解決手段】通信網を利用して会員にサービスを提供するためのサーバを運営するステップと、新規入会のために必要な入会情報を書面にて得るステップＳ１と、携帯電話機の外部通信端子に装着可能なコネクタを具備する電子装置を用意するステップＳ２と、前記サーバにアクセスするために必要な情報である、認証情報を前記電子装置に記憶させるステップＳ３ａと、前記電子装置を新規の入会者に送付するステップＳ４と、前記電子装置を前記外部通信端子に装着するステップＳ５と、前記端末機器が前期電子装置から前記認証情報を読み出して前記サーバへ送信するステップＳ６と、を実施する。【選択図】  図１
2004310721.tif 000002
【特許請求の範囲】
【請求項１】
通信網を利用して会員にサービスを提供するためのサーバを運営するステップと、
新規入会のために必要な入会情報を書面にて得るステップと、
前記通信網にアクセスし得る端末機器が備えている外部通信端子に装着可能なコネクタを具備する電子装置を用意するステップと、
前記入会情報に基づく情報であり、前記サーバにアクセスするために必要な情報である、認証情報を前記電子装置に記憶させるステップと、
前記電子装置を新規の入会者に送付するステップと、
前記電子装置を前記外部通信端子に装着するステップと、
前記端末機器が前期電子装置から前記認証情報を読み出して前記サーバへ送信するステップと、
を含む、会員情報のサーバへの登録方法。
【請求項２】
前記認証情報は、パスワード、前記電子装置の識別コード、及び入会者の名前情報を含む、請求項１記載の会員情報のサーバへの登録方法。
【請求項３】
前記端末機器は、携帯電話機である、請求項１記載または請求項２記載の会員情報のサーバへの登録方法。
【請求項４】
前記通信網は、インターネットを含む、請求項１記載、請求項２記載または請求項３記載の会員情報のサーバへの登録方法。
【請求項５】
前記サーバは、乗り物券を販売するためのサーバである、請求項１記載、請求項２記載、請求項３記載または請求項４記載の会員情報のサーバへの登録方法。
【請求項６】
前記識別コード、前記名前情報及び前記パスワードの前記サーバへの送信が必要なのは、前記サーバへの初回のアクセスのときのみであり、
２回目以降の前記サーバへのアクセスの際には、前記識別コード及び前記名前情報の送信は不要である、請求項２記載、請求項３記載、請求項４記載または請求項５記載の会員情報のサーバへの登録方法。
【発明の詳細な説明】
【０００１】
【発明の属する技術分野】
本発明は、所定の申し込み手続を経て会に入会した者が、その会が運営するサーバにアクセスして所要の情報を前記サーバへ登録する際の情報送信方法に係るものであり、会員情報のサーバへの登録方法に関する。
【０００２】
【従来の技術】
従来クレジットカードなどを発行して所定のサービスをサーバにて展開する会に入会した会員が、前記サービスを受けようとして、そのサーバにアクセスするには、会員ＩＤやパスワード、クレジットカード情報などを、携帯電話機やパーソナルコンピュータなどの端末機器のキーを操作して入力し、該サーバへ送信していた。つまり、会員情報を該サーバに登録するのに、手間が掛かり、使い勝手が悪く、（人によっては）それらのサーバにアクセスしたい気持ちがあまり起こらないものであった。
なお、従来の会員情報登録技術は、特開平２００１−２３６３７９号公報に開示されている。
【０００３】
【特許文献１】
特開平２００１−２３６３７９号公報
【０００４】
【発明が解決しようとする課題】
本発明に係る会員情報のサーバへの登録方法は、上記した従来の技術が有する問題点に鑑み成されたものであり、次の課題を解決することを目的とする。
会が運営するサーバ、もしくはその会が運営を委託するサーバに、その会の入会者ないし会員が、簡単に手間要らずに気軽にアクセスして、該サーバにアクセスするために必要な情報を送信して登録し得る会員情報のサーバへの登録方法を提供する。
【０００５】
【課題を解決するための手段】
上記課題を解決するための本発明の第１発明は、請求項１に記載されたとおりの会員情報のサーバへの登録方法であり、次のようなものである。
通信網を利用して会員にサービスを提供するためのサーバを運営するステップと、新規入会のために必要な入会情報を書面にて得るステップと、前記通信網にアクセスし得る端末機器が備えている外部通信端子に装着可能なコネクタを具備する電子装置を用意するステップと、前記入会情報に基づく情報であり、前記サーバにアクセスするために必要な情報である、認証情報を前記電子装置に記憶させるステップと、前記電子装置を新規の入会者に送付するステップと、前記電子装置を前記外部通信端子に装着するステップと、前記端末機器が前記電子装置から前記認証情報を読み出して前記サーバへ送信するステップと、を含む方法である。
【０００６】
上記課題を解決するための本発明の第２発明は、請求項２に記載されたとおりの会員情報のサーバへの登録方法であり、次のようなものである。
請求項１記載の会員情報のサーバへの登録方法において、前記認証情報は、パスワード、前記電子装置の識別コード、及び入会者の名前情報を含む方法である。
【０００７】
上記課題を解決するための本発明の第３発明は、請求項３に記載されたとおりの会員情報のサーバへの登録方法であり、次のようなものである。
請求項１記載または請求項２記載の会員情報のサーバへの登録方法において、前記端末機器は、携帯電話機である方法である。
【０００８】
上記課題を解決するための本発明の第４発明は、請求項４に記載されたとおりの会員情報のサーバへの登録方法であり、次のようなものである。
請求項１記載、請求項２記載または請求項３記載の会員情報のサーバへの登録方法において、前記通信網は、インターネットを含んでいる通信網である方法である。
【０００９】
上記課題を解決するための本発明の第５発明は、請求項５に記載されたとおりの会員情報のサーバへの登録方法であり、次のようなものである。
請求項１記載、請求項２記載、請求項３記載または請求項４記載の会員情報のサーバへの登録方法において、前記サーバは、乗り物券を販売するための、すなわち乗り物券の販売に関するサービスを行なうためのサーバである方法である。
【００１０】
上記課題を解決するための本発明の第６発明は、請求項６に記載されたとおりの会員情報のサーバへの登録方法であり、次のようなものである。
請求項２記載、請求項３記載、請求項４記載または請求項５記載の会員情報のサーバへの登録方法において、前記識別コード、前記名前情報及び前記パスワードの前記サーバへの送信が必要なのは、前記サーバへの初回のアクセスのときのみであり、２回目以降の前記サーバへのアクセスの際には、前記識別コード及び前記名前情報の送信は不要の方法である。
【００１１】
【発明の実施の形態】
図１は、本発明に係わる会員情報のサーバへの登録方法の実施の一形態を示すフロー図である。
旅行会社や鉄道会社などの業者が運営する会は、サーバ（コンピュータシステム）を運営しており、そのサーバは、インターネットなどの通信網に接続可能であるとする。
その会に入会して、会が実施するサービス（例、ティケットや乗り物券の予約ないし販売）を受けることを欲する者、すなわち入会希望者（以後、新規入会者とも称する）は、所定の入会申し込み用紙に所要事項を記入し、その会の窓口ないし担当者（担当部署）に提出する（ステップＳ１）。入会時に利用者のほうで行なう手続は、これだけである。新規入会者がサーバにアクセスする時の手順については、後述する。
なお、前記所要事項をどんな情報とするかは、会のほうでその目的に応じて自由に設計する。例えば、住所、氏名、年齢、生年月日、自宅電話番号、携帯電話機の電話番号、職業、勤務先、口座番号、暗証番号（パスワード）、年収、家族構成などの情報である。
所要事項が記入された入会申し込み用紙を受け取った会のほうでは、電子装置を用意する（Ｓ２）。
この電子装置は、端末機器の外部通信端子に装着し得るコネクタを備えるものでなければならない。端末機器というのは、携帯電話機、ＰＨＳ機、ＰＤＡ、いわゆるノートパソコンなどであり、端末機器は、通信網に接続し得るとともに、外部通信端子（外部機器接続端子）を具備するという特徴を有する機器のことである。なお、以後、端末機器として携帯電話機を例として説明する。
会のほうでは、用意した該電子装置に少なくとも認証情報を記憶させて（ステップＳ３ａ）、該電子装置を新規入会者に送付する（ステップＳ４）。
【００１２】
ここで、認証情報というのは、サーバに情報を送信してきた者ないし携帯電話機をそのサーバにおいて認証する、すなわちアクセス者の正当性を確認するために必用な全ての情報のことである。具体的には、パスワード、ＩＤ（識別コード）、発信者電話番号情報、氏名情報、生年月日情報などである。常識的には、パスワードとその他の情報（例、電子装置の識別コード、会員の名前情報など）とを１セットにして認証情報とすることが多い。どんな情報を認証情報としてサーバへ送信及びサーバでの照合が必要とするかは、その会が適宜定める。
なお、該電子装置を新規入会者に送付する際には、前記所要事項に基づいて与信審査が為されて発行されるクレディットカードなどを同封してもよい。
【００１３】
該電子装置を受け取った新規入会者は、自分の携帯電話機に該電子装置を装着する。すなわち、携帯電話機の通常底部に設けられている外部通信端子に、該電子装置のコネクタを嵌め込む（ステップＳ５）。
携帯電話機は、認証情報を該電子装置から受け取り、その認証情報を会が運営するサーバへ送信する（ステップＳ６）。携帯電話機からサーバへのアクセスは、自動発信によるものでもよい。すなわち、該電子装置を携帯電話機に装着することによって、該電子装置が該サーバにアクセスするのに必要な情報（例、ＵＲＬアドレス）を携帯電話機に渡して、携帯電話機が自動発信する方法でもよい。また、手動でも、すなわち、サーバのアドレスを携帯電話機の操作ボタンで発信者が打ち込む方法でもよい。
インターネットなどの通信網から認証情報がサーバに送信されてくれば、該サーバのほうでは、その認証情報を自身のデータベースと照合して、受信認証情報のうち、必用と認める情報を登録することができる。すなわち、サーバへの会員情報の初回登録や会のサービス利用のためにサーバにアクセスする際の認証手続などが簡易に実行できる。従来のように新規入会者が認証情報を携帯電話機の操作ボタンで打ち込んでサーバへ送信するという面倒なことをやらなくても済む。つまり、初回登録のときの煩わしさがない。また、初回登録後、２回目以降にサーバにアクセスする際にも、利用者は、パスワードなどの認証情報を携帯電話機で打ち込む必要がない。認証情報は、携帯電話機及び電子装置が一体となって、サーバへ自動送信する。
なお、図２は、本発明に係わる会員情報のサーバへの登録方法の別の実施の一形態を示すフロー図であり、図１のステップＳ３ａの代わりに、ステップＳ３ｂにおいて、パスワード、識別コード、新規入会者の名前情報を電子装置に認証情報として記憶させるステップを設けたことを示す。その他のステップは、図１と同様である。
サーバへの初回アクセス時であっても、サーバへの２回目以降のアクセス時であっても、サーバへの送信とサーバでの照合が必用な認証情報を何にするかは、会が定める。サーバへの２回目以降のアクセスにおいては、サーバへ送信する認証情報は、パスワードだけとすることも可能である。
【００１４】
従って、この会が乗り物券を販売する会であるなら、会員は、乗車券、特急券、指定席券などを会のサーバにアクセスして予約する際に、自分専用の電子装置を自分の携帯電話機に装着するだけで、認証情報をサーバへ送信して、所望のサービスを受けられる。
【００１５】
図３は、本発明に係わる会員情報のサーバへの登録方法における認証情報の流れを示すブロック図である。
本発明を実施するのに、業者が用意して新規入会者に送付する電子装置１は、従来技術によるマイクロコンピュータシステムなど構成するものでよいので、詳細は、図示しない。ただ、携帯電話機２の外部通信端子８ｂに接続するコネクタ８ａを有し、認証情報９を記憶している必要はある。
認証情報９は、携帯電話機２の制御部７を介して、サーバ５へ送信される。その送信経路は、無線ＬＡＮ基地局３とＩＰ通信網４経由でもよい。もちろん、電話網やインターネット経由でもよい。
サーバ５は、会員情報に関するデータベース６を有しているので、受信認証情報をもとに、携帯電話機、電子装置または発信者を認証することができ、受信情報をデータベース６に登録することができる。
サーバ５での認証が完了したら、利用者は、携帯電話機２の操作ボタン（図示せず）を押して、所望のサービスを受ければよい。例えば、切符の予約サービスであるなら、予約後に駅の所定窓口に行けば、行き先や発車時刻などを告げたり、記入したりしなくても、すぐに必用な切符が発行される。
【００１６】
【発明の効果】
本発明に係る会員情報のサーバへの登録方法は、以上説明してきたような方法であるので、以下に記載する効果を奏する。
会が運営するサーバ、もしくはその会が運営を委託するサーバに、その会の入会者（新規入会者）ないし会員は、サーバが行なう認証ステップに必用な情報を、端末機器（例、携帯電話機など）の操作ボタンでもって指で打ち込む必要がない。会に入会すると、自分専用の電子装置が会から送付されてくるので、端末機器に該電子装置を装着すれば、両装置は一体となって、認証情報をサーバへ自動送信する。従って、簡単に手間要らずに気軽にサーバアクセスして、該サーバにアクセスするために必要な情報をサーバに送信して登録することができる。つまり、会員は、手軽に会が提供するサービスを受けられる。
【図面の簡単な説明】
【図１】図１は、本発明に係わる会員情報のサーバへの登録方法の実施の一形態を示すフロー図である。
【図２】図２は、本発明に係わる会員情報のサーバへの登録方法の別の実施の一形態を示すフロー図である。
【図３】図３は、本発明に係わる会員情報のサーバへの登録方法における認証情報の流れを示すブロック図である。
【符号の説明】
１  電子装置
２  携帯電話機
３  無線ＬＡＮ基地局
４  ＩＰ通信網
５  サーバ
６  データベース
７  制御部
８ａ  外部通信端子
８ａ  コネクタ
９  認証情報
Ｓ１、Ｓ２、Ｓ３ａ、Ｓ３ｂ、Ｓ４、Ｓ５、Ｓ６  ステップ
【図１】
2004310721.tif 000003
【図２】
2004310721.tif 000004
【図３】
2004310721.tif 000005